(57)【要約】【課題】本発明の目的は、配管の振動が低減される配管支持構造を提供することである。【解決手段】本発明による配管支持構造は、配管２を支持母体に対して支持する支持部材１１、１２と、支持部材１１、１２を配管２に取り付けるための取り付け部１５と、支持部材１１、１２を支持母体１に取り付けるための取り付け部１３、１４とを具備している。支持部材１１、１２は、複数の物体２１〜２５と、複数の物体２１〜２５を収容した容器１０とを備えている。複数の物体２１〜２５は、互いに接触した状態で相対的に移動可能な２つの物体を含んでいる。本発明による配管支持構造によれば、複数の物体２１〜２５どうしの衝突、摩擦により配管２の振動が低減される。【選択図】図３
2008020013.tif 000002
【特許請求の範囲】
【請求項１】
配管を支持母体に対して支持する支持部材と、
前記支持部材を前記配管に取り付けるための第１取り付け部と、
前記支持部材を前記支持母体に取り付けるための第２取り付け部と
を具備し、
前記支持部材は、複数の物体と、前記複数の物体を収容した容器とを備え、
前記複数の物体は、互いに接触した状態で相対的に移動可能な２つの物体を含む
配管支持構造。
【請求項２】
前記複数の物体は、第１方向に積層したシート状物体としての第１シート状物体を含む
請求項１の配管支持構造。
【請求項３】
前記容器は、前記第１方向に間隔を設けて対向する第１面及び第２面と、前記第１面に設けられた第１突起部と、前記第２面に設けられた第２突起部とを備え、
前記第１シート状物体は、前記第１突起部と前記第２突起部との間に配置されている
請求項２の配管支持構造。
【請求項４】
前記複数の物体は、前記第１方向とは異なる第２方向に積層した前記シート状物体としての第２シート状物体を含む
請求項２の配管支持構造。
【請求項５】
前記シート状物体は、タングステンシートである
請求項２乃至４のいずれか１項に記載の配管支持構造。
【請求項６】
前記複数の物体は、複数の粒状物体を含む
請求項１の配管支持構造。
【請求項７】
前記配管は、前記配管よりも大口径の母管に取り付けられ、
前記支持母体は、前記母管である
請求項１乃至６のいずれか１項に記載の配管支持構造。
【発明の詳細な説明】
【技術分野】
【０００１】
本発明は、配管を支持する配管支持構造に関し、特に、大口径配管に取り付けられた小口径配管の支持に好適な配管支持構造に関する。
【背景技術】
【０００２】
プラントにおいて、ベント管、ドレン管や計装配管等の小口径配管は、溶接により直接母管に取り付けられた溶接構造物となっていることが多い。
【０００３】
小口径配管は母管の振動を加振源として振動する。小口径配管が大きな振幅で振動した場合、比較的短期間で疲労破壊に至ることがある。小口径配管が母管に接続されたポンプの振動により加振される場合、小口径配管をその固有振動数がポンプのＮＺ成分から外れるような構造にすることにより、共振を防いで振幅を小さく抑えることができる。
【０００４】
しかし、加振源がランダム波である場合、小口径配管の固有振動数を調節することで振幅を小さく抑えることが困難である。また、一般的に溶接構造物は減衰の非常に小さな振動系であるから、溶接構造自体による減衰のみでは振幅を効果的に抑えることができない。
【０００５】
そこで、配管を含む振動系に減衰を付加するための制振装置が提案されている。特許文献１及び特許文献２は、このような制振装置を開示している。
【特許文献１】実開平６−７８６９４号公報
【特許文献２】特開２００３−２８７５８６号公報
【発明の開示】
【発明が解決しようとする課題】
【０００６】
本発明の目的は、配管の振動が低減される配管支持構造を提供することである。
【課題を解決するための手段】
【０００７】
以下に、（発明を実施するための最良の形態）で使用される番号を用いて、課題を解決するための手段を説明する。これらの番号は、（特許請求の範囲）の記載と（発明を実施するための最良の形態）との対応関係を明らかにするために付加されたものである。ただし、それらの番号を、（特許請求の範囲）に記載されている発明の技術的範囲の解釈に用いてはならない。
【０００８】
本発明による配管支持構造は、配管（２）を支持母体に対して支持する支持部材（１１、１２）と、前記支持部材を前記配管に取り付けるための第１取り付け部（１５）と、前記支持部材を前記支持母体に取り付けるための第２取り付け部（１３、１４）とを具備している。前記支持部材は、複数の物体（２１、２２、２３、２４、２５）と、前記複数の物体を収容した容器（１０）とを備えている。前記複数の物体は、互いに接触した状態で相対的に移動可能な２つの物体を含んでいる。
【０００９】
本発明によれば、複数の物体（２１、２２、２３、２４、２５）どうしの衝突、摩擦により配管（２）の振動が低減される。
【００１０】
本発明による配管支持構造においては、前記複数の物体は、第１方向に積層したシート状物体（２１）としての第１シート状物体を含んでいる。
【００１１】
本発明による配管支持構造においては、前記容器は、前記第１方向に間隔を設けて対向する第１面（１０ａ）及び第２面（１０ｂ）と、前記第１面に設けられた第１突起部（４１、４３、４５）と、前記第２面に設けられた第２突起部（４２、４４）とを備えている。記第１シート状物体は、前記第１突起部と前記第２突起部との間に配置されている。
【００１２】
本発明による配管支持構造においては、前記複数の物体は、前記第１方向とは異なる第２方向に積層した前記シート状物体としての第２シート状物体を含んでいる。
【００１３】
本発明による配管支持構造においては、前記シート状物体は、タングステンシートである。
【００１４】
本発明による配管支持構造においては、前記複数の物体は、複数の粒状物体（２５）を含んでいる。
【００１５】
本発明による配管支持構造においては、前記配管は、前記配管よりも大口径の母管（１）に取り付けられている。前記支持母体は、前記母管である。
【発明の効果】
【００１６】
本発明によれば、配管の振動が低減される配管支持構造が提供される。
【発明を実施するための最良の形態】
【００１７】
添付図面を参照して、本発明による配管支持構造を実施するための最良の形態を以下に説明する。
【００１８】
図１は、以下に説明する本発明の各実施形態に係る配管支持構造１００を示している。図１（ａ）は、配管支持構造１００を一の方向から見た図である。図１（ｂ）は、配管支持構造１００を他の方向から見た図である。
【００１９】
配管支持構造１００は、支持部材１１と、支持部材１２と、取り付け部１３と、取り付け部１４と、取り付け部１５とを備え、小口径配管２を母管１のような支持母体に対して支持している。小口径配管２は、母管１に取り付けられた母管１よりも口径の小さい配管である。小口径配管２としては、ベント管、ドレン管や計装配管が例示される。支持部材１１は、柱状（棒状）の形状を有し、小口径配管２に沿って設けられている。取り付け部１３は、支持部材１１を母管１に取り付けている。取り付け部１３は、母管１に巻きついて支持部材１１を母管１に対して固定するバンド１３ａを備えている。取り付け部１５は、支持部材１１を小口径配管２に取り付けている。取り付け部１５が備えるＵボルト１５ａは、両端が支持部材１１に固定され、Ｕボルト１５ａと支持部材１１の間に小口径配管２が通されている。支持部材１２は、柱状（棒状）の形状を有し、一方の端部が支持部材１１に取り付けられ、他方の端部が取り付け部１４によって母管１に取り付けられている。取り付け部１４が備えるバンド１４ａは、母管１に巻きついて支持部材１２を母管１に固定している。支持部材１２は、配管支持構造１００において筋交い構造として機能する。
【００２０】
配管支持構造１００は、母管１に対して小口径配管２を支持することで、母管１の熱伸びに対応可能である。配管支持構造１００は、母管１の熱伸びが小さい場合には、プラントの床、柱、梁のような母管１以外の支持母体に対して小口径配管２を支持するものであってもよい。
【００２１】
（第１の実施形態）
図３は、本発明の第１の実施形態に係る支持部材１１、１２の内部構造を示している。図３（ａ）は、支持部材１１、１２の内部透過図である。図３（ｂ）は、支持部材１１、１２を後述するＺ方向に垂直な平面で切った断面図である。
【００２２】
支持部材１１、１２は、複数のシート状物体２１と、これらを収容した容器１０とを備えている。容器１０は、軸に垂直な断面が長方形である角筒形状を有し、軸方向が支持部材１１又は支持部材１２の長手方向に一致している。容器１０に対して、互いに直交するＸ方向、Ｙ方向、Ｚ方向が定義されている。Ｚ方向は、容器１０の軸に平行である。Ｘ方向は、容器１０の一の側面に垂直である。
【００２３】
図２は、シート状物体２１を示している。シート状物体２１は、その厚さ方向を向くシート面２１ａを厚さ方向の両側に有している。シート面２１ａは、長辺２１ｂの長さがＢ、短辺２１ｃの長さがＣである長方形形状をしている。なお、シート面２１ａは、ＢとＣが等しい正方形であってもよい。
【００２４】
図３に示されるように、複数のシート状物体２１は、シート面２１ａがＹ方向と垂直となるようにＹ方向に積層している。ここで、複数のシート状物体２１は、長辺２１ｂがＺ方向に平行であってもよく、短辺２１ｃがＺ方向に平行であってもよい。
【００２５】
第１の実施形態に係る配管支持構造１００においては、シート状物体２１どうしの衝突、摩擦により小口径配管２の振動が減衰される。第１の実施形態においては、シート面２１ａに沿う方向の振動、すなわちＸ方向成分又はＺ方向成分を持つ振動が効率的に減衰される。
【００２６】
なお、小口径配管２がシート面２１ａに沿う方向であるＸ方向に振動する場合、シート状物体２１には、Ｘ方向の慣性力と、隣接するシート状物体２１から受けるＸ方向の摩擦力とが作用する。ここで、摩擦面であるシート面２１ａに作用する垂直抗力が大きいほど隣接するシート状物体２１から受ける動摩擦力が大きくなり、摩擦による振動の減衰効果が大きくなる。しかし、垂直抗力が大きい場合には隣接するシート状物体２１との間に作用する静止摩擦力も大きくなるから、積層した複数のシート状物体２１が一体となって運動してしまい、摩擦力によって振動が減衰されないことが起こり得る。ここで、シート状物体２１にタングステンシートのような比重の大きな物体を用いれば、シート状物体２１に作用する慣性力が隣接するシート状物体２１から受ける最大静止摩擦力を上回り、積層したシート状物体２１にずれが生じて摩擦による振動の減衰が達成される。なお、比重の大きなシート状の物体としてはシート状の鉛も考えられるが、タングステンシートの方が環境保護の点で優れている。
【００２７】
（第２の実施形態）
図４は、本発明の第２の実施形態に係る支持部材１１、１２の内部構造を示している。図４（ａ）は、支持部材１１、１２の内部透過図である。図４（ｂ）は、支持部材１１、１２をＺ方向に垂直な平面で切った断面図である。
【００２８】
支持部材１１、１２は、複数の円筒状物体２２と、これらを収容した容器１０とを備えている。円筒状物体２２は、例えば、シート状物体２１を丸めて円筒形状にしたものである。円筒状物体２２は、図４（ｂ）に示されるように、その軸に垂直な断面が円形である。複数の円筒状物体２２は、それぞれの軸がＺ方向に平行となり、それぞれのＺ方向位置が同じとなるように配列されている。複数の円筒状物体２２は、Ｚ方向から見たときに、Ｘ方向に平行な直線とＹ方向に平行な直線とからなる格子の格子点に配置されている。
【００２９】
第２の実施形態に係る配管支持構造１００においては、円筒状物体２２どうしの衝突、摩擦、及び円筒状物体２２の変形により小口径配管２の振動が減衰される。
【００３０】
（第３の実施形態）
図５は、本発明の第３の実施形態に係る支持部材１１、１２の内部構造を示している。図５（ａ）は、支持部材１１、１２の内部透過図である。図５（ｂ）は、支持部材１１、１２をＺ方向に垂直な平面で切った断面図である。
【００３１】
支持部材１１、１２は、複数の円筒状物体２２と、複数の波板状物体２３と、これらを収容した容器１０とを備えている。波板状物体２３は、例えば、シート状物体２１を波板形状となるように加工したものである。複数の波板状物体２３は、その厚さ方向を向く波状面２３ａをＸ方向に向けた状態でＸ方向に積層しており、波板形状の山部（谷部）２３ｂがＺ方向に延びる配置となっている。複数の円筒状物体２２は、それぞれの軸がＺ方向に平行となるように、隣り合う波板状物体２３の間の空間に配置されている。円筒状物体２２及び波板状物体２３は、Ｚ方向位置が同じとなるように配置されている。隣り合う波板状物体２３の間の空間であって、同一の空間に配置された円筒状物体２２は、Ｚ方向から見たときに、波状面２３ａに沿って配列されている。
【００３２】
第３の実施形態に係る配管支持構造１００においては、円筒状物体２２の間に波板状物体２３が入れ込まれることにより、振動の減衰効果が高められている。
【００３３】
（第４の実施形態）
図６は、本発明の第４の実施形態に係る支持部材１１、１２の内部構造を示している。図６（ａ）は、支持部材１１、１２の内部透過図である。図６（ｂ）は、支持部材１１、１２をＺ方向に垂直な平面で切った断面図である。
【００３４】
支持部材１１、１２は、複数の円筒状物体２２と、これらを収容した容器１０とを備えている。複数の円筒状物体２２は、それぞれの軸がＺ方向に平行となり、それぞれのＺ方向位置が同じとなるように配列されている。複数の円筒状物体２２は、Ｚ方向から見たときに、千鳥状に配列されている。複数の円筒状物体２２は、Ｚ方向から見たときに、蜂の巣模様を形成している六角形の中心点及び頂点に配置されていることが望ましい。このとき複数の円筒状物体２２は、最密充填層を形成する。
【００３５】
第４の実施形態に係る配管支持構造１００においては、一つの円筒状物体２２と隣接する円筒状物体２２の数が増加している。したがって、円筒状物体２２どうしが接触する頻度が増加するから、振動の減衰効果が高くなる。
【００３６】
（第５の実施形態）
図７は、本発明の第５の実施形態に係る支持部材１１、１２の内部構造を示している。図７（ａ）は、支持部材１１、１２の内部透過図である。図７（ｂ）は、支持部材１１、１２をＺ方向に垂直な平面で切った断面図である。
【００３７】
支持部材１１、１２は、複数の樋状物体２４と、これらを収容した容器１０とを備えている。樋状物体２４は、例えば、シート状物体２１を丸めて樋形状にしたものである。樋状物体２４は、図７（ｂ）に示されるように、その軸に垂直な断面が円弧形状である。樋状物体２４は、その厚さ方向を向く凸面２４ａ及び凹面２４ｂを有している。複数の樋状物体２４は、それぞれの軸がＺ方向に平行となり、それぞれのＺ方向位置が同じとなるように配列されている。複数の樋状物体２４は、Ｚ方向から見たときに、第１列２４１に配列されたものと、第２列２４２に配列されたものと、第３列２４３に配列されたものとを含んでいる。第１列２４１、第２列２４２、第３列２４３は、Ｙ方向に平行である。第１列２４１と第２列２４２とはＸ方向に隣接し、第２列２４２と第３列２４３とはＸ方向に隣接している。第１列２４１に配列された樋状物体２４は、凹面２４ｂをＸ方向に向けている。第２列２４２に配列された樋状物体２４は凸面２４ａをＸ方向に向けている。第３列２４３に配列された樋状物体２４は凹面２４ｂをＸ方向に向けている。すなわち、隣接する２列のそれぞれに配列された２つの樋状物体２４は、凸面２４ａ（凹面２４ｂ）を互いに反対方向に向けている。
【００３８】
第５の実施形態に係る配管支持構造１００においては、樋状物体２４どうしの衝突、摩擦、及び樋状物体２４の変形により小口径配管２の振動が減衰される。
【００３９】
（第６の実施形態）
図８は、本発明の第６の実施形態に係る支持部材１１、１２をＸ方向に垂直な平面で切った断面図を示している。
【００４０】
支持部材１１、１２は、複数のシート状物体２１と、これらを収容した容器１０とを備えている。容器１０は、内面１０ａに設けられた突起部４１と、内面１０ａとＹ方向に対向する内面１０ｂに設けられた突起部４２とを備えている。突起部４１と突起部４２とは、互いに対向するように配置されている。複数のシート状物体２１は、突起部４１と突起部４２の間において、シート面２１ａがＹ方向と垂直となるようにＹ方向に積層している。突起部４１は、Ｙ方向の最も負側に配置されたシート状物体２１のシート面２１ａの中央部分に当接する。突起部４２は、Ｙ方向の最も正側に配置されたシート状物体２１のシート面２１ａの中央部分に当接する。ここで、複数のシート状物体２１は、長辺２１ｂがＺ方向に平行であってもよく、短辺２１ｃがＺ方向に平行であってもよい。
【００４１】
第６の実施形態に係る配管支持構造１００においては、突起部４１及び４２により隣り合うシート状物体２１の間に作用する摩擦力が増加するから、振動の減衰効果が高くなる。
【００４２】
（第７の実施形態）
図９は、本発明の第７の実施形態に係る支持部材１１、１２をＸ方向に垂直な平面で切った断面図を示している。
【００４３】
支持部材１１、１２は、複数のシート状物体２１と、これらを収容した容器１０とを備えている。容器１０は、内面１０ａに設けられた突起部４３及び突起部４５と、内面１０ａとＹ方向に対向する内面１０ｂに設けられた突起部４４とを備えている。複数のシート状物体２１は、突起部４３及び４５と突起部４４との間において、シート面２１ａがＹ方向と垂直となるようにＹ方向に積層している。突起部４３は、Ｙ方向の最も負側に配置されたシート状物体２１のシート面２１ａの中央部分よりもＺ方向正側の部分に当接する。突起部４４は、Ｙ方向の最も正側に配置されたシート状物体２１のシート面２１ａの中央部分に当接する。突起部４５は、突起部４３が当接しているシート面２１ａの中央部分よりもＺ方向負側の部分に当接する。すなわち、突起部４３〜４５は、交互に配置されている。ここで、複数のシート状物体２１は、長辺２１ｂがＺ方向に平行であってもよく、短辺２１ｃがＺ方向に平行であってもよい。
【００４４】
第７の実施形態に係る配管支持構造１００においては、突起部４３〜４５により隣り合うシート状物体２１の間に作用する摩擦力が増加するから、振動の減衰効果が高くなる。
【００４５】
（第８の実施形態）
図１０は、本発明の第８の実施形態に係る支持部材１１、１２をＸ方向に垂直な平面で切った断面図を示している。
【００４６】
支持部材１１、１２は、第１群２１１に属する複数のシート状物体２１と、第２群２１２に属する複数のシート状物体２１と、これらを収容した容器１０とを備えている。第１群２１１に属する複数のシート状物体２１は、シート面２１ａがＹ方向と垂直となるようにＹ方向に積層している。第２群２１２に属する複数のシート状物体２１は、シート面２１ａがＹ方向と垂直となるようにＹ方向に積層している。第１群２１１及び第２群２１２においては、複数のシート状物体２１は、長辺２１ｂがＺ方向に平行であってもよく、短辺２１ｃがＺ方向に平行であってもよい。ここで、第１群２１１に属する複数のシート状物体２１と、第２群２１２に属する複数のシート状物体２１とは、Ｚ方向位置が互いに異なっている。したがって、第８の実施形態においては、第１群２１１に属するシート状物体２１と第２群２１２に属するシート状物体２１とが交互に積層している重なっている部分２１５と、第１群２１１に属するシート状物体２１のみが積層ている重なっていない部分２１３と、第２群２１２に属するシート状物体２１のみが積層している重なっていない部分２１４とが存在する。
【００４７】
第８の実施形態に係る配管支持構造１００においては、シート状物体２１の密度が重なっている部分２１５において高くなるから、シート状物体２１どうしの摩擦による振動の減衰効果が高くなる。
【００４８】
（第９の実施形態）
図１１は、本発明の第９の実施形態に係る支持部材１１、１２をＸ方向に垂直な平面で切った断面図を示している。
【００４９】
支持部材１１、１２は、複数のシート状物体２１と、これらを収容した容器１０とを備えている。複数のシート状物体２１は、シート面２１ａがＺ方向と垂直となるようにＺ方向に積層している。
【００５０】
第９の実施形態に係る配管支持構造１００においては、シート状物体２１どうしの衝突、摩擦により小口径配管２の振動が減衰される。第９の実施形態においては、シート面２１ａに沿う方向の振動、すなわちＸ方向成分又はＹ方向成分を持つ振動が効率的に減衰される。
【００５１】
（第１０の実施形態）
図１２は、本発明の第１０の実施形態に係る支持部材１１、１２をＸ方向に垂直な平面で切った断面図を示している。
【００５２】
支持部材１１、１２は、第１群２１６に属する複数のシート状物体２１と、第２群２１７に属する複数のシート状物体２１と、これらを収容した容器１０とを備えている。第１群２１６に属する複数のシート状物体２１は、シート面２１ａがＺ方向と垂直となるようにＺ方向に積層している。第２群２１７に属する複数のシート状物体２１は、シート面２１ａがＹ方向と垂直となるようにＹ方向に積層している。第１群２１６及び第２群２１７においては、複数のシート状物体２１は、長辺２１ｂがＸ方向に平行であってもよく、短辺２１ｃがＸ方向に平行であってもよい。ここで、第１群２１６と第２群２１７は、Ｚ方向位置が互いに異なっている。
【００５３】
第１０の実施形態に係る配管支持構造１００においては、シート状物体２１どうしの衝突、摩擦により小口径配管２の振動が減衰される。第１０の実施形態においては、第１群２１６に属するシート状物体２１のシート面２１ａに沿う方向の振動、すなわちＸ方向成分又はＹ方向成分を持つ振動が効率的に減衰され、さらに、第２群２１７に属するシート状物体２１のシート面２１ａに沿う方向の振動、すなわちＸ方向成分又はＺ方向成分を持つ振動が効率的に減衰される。
【００５４】
（第１１の実施形態）
図１３は、本発明の第１１の実施形態に係る支持部材１１、１２をＸ方向に垂直な平面で切った断面図を示している。
【００５５】
支持部材１１、１２は、複数のシート状物体２１と、壁３１及び３２と、これらを収容した容器１０とを備えている。壁３１の壁面３１ａと、壁３２の壁面３２ａとは、ともにＺ方向に垂直であり、間隔Ｈを隔てて対向している。複数のシート状物体２１は、シート面２１ａがＹ方向と垂直となるようにＹ方向に積層している。
【００５６】
ここで、複数のシート状物体２１の長辺２１ｂがＺ方向に平行である場合、壁３１及び壁３２は、間隔Ｈが長さＢよりも小さくなるように容器１０に対して固定されている。また、複数のシート状物体２１の短辺２１ｃがＺ方向に平行である場合、壁３１及び壁３２は、間隔Ｈが長さＣよりも小さくなるように容器１０に対して固定されている。複数のシート状物体２１は、壁３１及び壁３２によってＺ方向に圧縮され、撓み変形する。
【００５７】
第１１の実施形態に係る配管支持構造１００においては、複数のシート状物体２１がＺ方向に圧縮されるためにシート状物体２１どうしの間に作用する摩擦力が増加し、振動の減衰効果が高くなる。
【００５８】
（第１２の実施形態）
図１４は、本発明の第１２の実施形態に係る支持部材１１、１２をＺ方向に垂直な平面で切った断面図を示している。
【００５９】
支持部材１１、１２は、第１群２１８に属する複数のシート状物体２１と、第２群２１９に属する複数のシート状物体２１と、第３群２２０に属する複数のシート状物体２１と、第４群２２１に属する複数のシート状物体２１と、これらを収容した容器１０とを備えている。第１群２１８、第２群２１９、第３群２２０、及び第４群２２１は、Ｚ方向位置が同じ位置となるように配置されている。第１群２１８、第２群２１９、第３群２２０、及び第４群２２１は、Ｚ方向から見たときに、第１群２１８と第３群２２０とが対角位置となり、第２群２１９と第４群２２１とが対角位置となるような格子状に配置されている。第１群２１８に属する複数のシート状物体２１は、シート面２１ａがＸ方向と垂直となるようにＸ方向に積層している。第２群２１９に属する複数のシート状物体２１は、シート面２１ａがＹ方向と垂直となるようにＹ方向に積層している。第３群２２０に属する複数のシート状物体２１は、シート面２１ａがＸ方向と垂直となるようにＸ方向に積層している。第４群２２１に属する複数のシート状物体２１は、シート面２１ａがＹ方向と垂直となるようにＹ方向に積層している。ここで、第１群２１８、第２群２１９、第３群２２０、及び第４群２２１に属する複数のシート状物体２１は、長辺２１ｂがＺ方向に平行であってもよく、短辺２１ｃがＺ方向に平行であってもよい。
【００６０】
第１２の実施形態に係る配管支持構造１００においては、振動のＸ方向成分とＹ方向成分とが同じように減衰される。
【００６１】
なお、図１２に示された第２群２１７を、図１４に示された第１群２１８、第２群２１９、第３群２２０、及び第４群２２１で置き換えることとしてもよい。
【００６２】
（第１３の実施形態）
図１５は、本発明の第１３の実施形態に係る支持部材１１、１２をＸ方向に垂直な平面で切った断面図を示している。
【００６３】
支持部材１１、１２は、複数の粒状物体２５と、これらを収容した容器１０とを備えている。粒状物体２５は、ボール形状のものであってもよく、多面体形状のものであってもよく、ボール形状のものの表面に多数の突起を設けたものであってもよい。また、粒状物体２５の代わりに、又は粒状物体２５とともに砂を容器１０に入れることとしてもよい。
【００６４】
第１３の実施形態に係る配管支持構造１００においては、粒状物体２５どうしの衝突、摩擦により小口径配管２の振動が減衰される。
【００６５】
積層したシート状物体２１を備えた支持部材１１、支持部材１２は振動の方向が定まっている場合に好適であるが、粒状物体２５を備えた支持部材１１、支持部材１２は様々な方向に振動する場合及び振動の方向が予め分からない場合に好適である。
【００６６】
なお、第１乃至第１３の実施形態においては、容器１０内に高粘性液体を入れてもよい。
【図面の簡単な説明】
【００６７】
【図１】図１（ａ）は、本発明の第１乃至第１３の実施形態に係る配管支持構造を一の方向から見た図である。図１（ｂ）は、本発明の第１乃至第１３の実施形態に係る配管支持構造を他の方向から見た図である。
【図２】図２は、シート状物体を示す図である。
【図３】図３（ａ）は、第１の実施形態に係る支持部材の内部透過図である。図３（ｂ）は、第１の実施形態に係る支持部材の断面図である。
【図４】図４（ａ）は、第２の実施形態に係る支持部材の内部透過図である。図４（ｂ）は、第２の実施形態に係る支持部材の断面図である。
【図５】図５（ａ）は、第３の実施形態に係る支持部材の内部透過図である。図５（ｂ）は、第３の実施形態に係る支持部材の断面図である。
【図６】図６（ａ）は、第４の実施形態に係る支持部材の内部透過図である。図６（ｂ）は、第４の実施形態に係る支持部材の断面図である。
【図７】図７（ａ）は、第５の実施形態に係る支持部材の内部透過図である。図７（ｂ）は、第５の実施形態に係る支持部材の断面図である。
【図８】図８は、第６の実施形態に係る支持部材の断面図である。
【図９】図９は、第７の実施形態に係る支持部材の断面図である。
【図１０】図１０は、第８の実施形態に係る支持部材の断面図である。
【図１１】図１１は、第９の実施形態に係る支持部材の断面図である。
【図１２】図１２は、第１０の実施形態に係る支持部材の断面図である。
【図１３】図１３は、第１１の実施形態に係る支持部材の断面図である。
【図１４】図１４は、第１２の実施形態に係る支持部材の断面図である。
【図１５】図１５は、第１３の実施形態に係る支持部材の断面図である。
【符号の説明】
【００６８】
１…母管
２…小口径配管
１１、１２…支持部材
１３、１４、１５…取り付け部
１３ａ、１４ａ…バンド
１５ａ…Ｕボルト
１０…容器（ケース）
１０ａ、１０ｂ…内面
２１…シート状物体
２１ａ…シート面
２１ｂ…長辺
２１ｃ…短辺
２２…円筒状物体
２１１、２１６、２１８…第１群
２１２、２１７、２１９…第２群
２２０…第３群
２２１…第４群
２１３、２１４…重なっていない部分
２１５…重なっている部分
２３…波板状物体
２３ａ…波状面
２３ｂ…山部（谷部）
２４…樋状物体
２４ａ…凸面
２４ｂ…凹面
２４１…第１列
２４２…第２列
２４３…第３列
２５…粒状物体
３１、３２…壁
３１ａ、３２ａ…壁面
４１、４２、４３、４４、４５…突起部
１００…配管支持構造
Ｂ…長辺の長さ
Ｃ…短辺の長さ
Ｈ…壁面の間隔
【図１】
2008020013.tif 000003
【図２】
2008020013.tif 000004
【図３】
2008020013.tif 000005
【図４】
2008020013.tif 000006
【図５】
2008020013.tif 000007
【図６】
2008020013.tif 000008
【図７】
2008020013.tif 000009
【図８】
2008020013.tif 000010
【図９】
2008020013.tif 000011
【図１０】
2008020013.tif 000012
【図１１】
2008020013.tif 000013
【図１２】
2008020013.tif 000014
【図１３】
2008020013.tif 000015
【図１４】
2008020013.tif 000016
【図１５】
2008020013.tif 000017